(57)【要約】【課題】受信メールを簡単に参照することができ、かつ、送信するメールをより適切に作成することができる携帯通信機器を提供することを目的とする。【解決手段】筐体と、表示部と、受信メールを受信し、かつ、受信メールに対する返信メールを送信する通信部と、筐体の状態を検出する検出部と、表示部に作成中の返信メールを第１の向きで表示させる第１表示中に、検出部が筐体の状態の変更を検出した場合、返信メールに代えて、表示部に受信メールを前記第１の向きとは異なる第２の向きに表示させる第２表示に切り替える制御部と、を備えることで上記課題を解決する。【選択図】図２
2011249991.tif 000002
【特許請求の範囲】
【請求項１】
筐体と、
表示部と、
受信メールを受信し、かつ、前記受信メールに対する返信メールを送信する通信部と、
前記筐体の状態を検出する検出部と、
前記表示部に作成中の前記返信メールを第１の向きで表示させる第１表示中に、前記検出部が前記筐体の状態の変更を検出した場合、前記返信メールに代えて、前記表示部に前記受信メールを前記第１の向きとは異なる第２の向きに表示させる第２表示に切り替える制御部と、を備えることを特徴とする携帯通信機器。
【請求項２】
前記検出部は、前記筐体の姿勢が異なる第１状態及び第２状態を検出し、
前記制御部は、前記第１状態にて前記第１表示が行われている際に、前記第２状態への移行が検出された場合には、前記第２表示に切り替え、
前記第２表示中に、前記第２状態から前記第１状態への移行が検出された場合には、前記受信メールに代えて、作成中の前記返信メールを前記第１の向きで再度表示させることを特徴とする請求項１に記載の携帯通信機器。
【請求項３】
前記表示部は、長方形であり、
前記第１の向きは、前記表示部の長辺に平行な方向が上下方向となる向きであり、
前記第２の向きは、前記表示部の短辺に平行な方向が上下方向となる向きであることを特徴とする請求項１または２に記載の携帯通信機器。
【請求項４】
前記制御部は、前記第１表示から前記第２表示に切り替える際に、前記受信メールを一画面に表示できない場合、表示を切り替える前に前記第１表示で表示されている前記返信メールの表示状態に基づいて、前記受信メールを表示させる領域を選択し、前記第２表示として、選択した領域を前記表示部に表示することを特徴とする請求項１から３のいずれか１項に記載の携帯通信機器。
【請求項５】
前記制御部は、前記第１表示から前記第２表示に切り替える際に、前記第１表示で前記受信メールの引用部分が表示されている場合、前記第２表示として、前記引用部分に対応する部分を前記表示部に表示させることを特徴とする請求項１から４のいずれか１項に記載の携帯通信機器。
【請求項６】
前記制御部は、前記第１表示から前記第２表示に切り替える際に、表示を切り替える前に前記第１表示で表示されている前記返信メールの文章のうち入力中の文章に含まれる単語を検出し、前記受信メールの文章から前記単語を含む文章を抽出し、前記第２表示として、抽出した文章を前記表示部に表示することを特徴とする請求項１から５のいずれか１項に記載の携帯通信機器。
【請求項７】
前記制御部は、前記表示部に一画面で表示できない位置関係にある複数の文章を抽出したら、前記第２表示として、前記複数の文章を含む部分のみを抽出して、前記表示部に表示させることを特徴とする請求項６に記載の携帯通信機器。
【請求項８】
前記検出部は、さらに、前記筐体の移動方向を検出し、
前記制御部は、前記第２表示中に、前記検出部で前記筐体が振られていることを検出したら、前記筐体が振られる方向にあわせて、前記受信メールの表示部分を変化させることを特徴とする請求項１から７のいずれか１項に記載の携帯通信機器。
【請求項９】
前記制御部は、前記筐体が振られる方向にあわせて、ページ単位で受信メールをスクロールさせることを特徴とする請求項８に記載の携帯通信機器。
【請求項１０】
前記制御部は、前記第２表示中に、前記第２の向きに前記筐体が振られていることを検出したら、前記受信メールの表示部分を変化させ、
前記第２表示中に、前記検出部で前記第２の向きに直交する方向に前記筐体が振られていることを検出したら、前記第２表示を、直前に表示されていた受信メールに関連付けられたメールに切り替えることを特徴とする請求項８または９に記載の携帯通信機器。
【請求項１１】
筐体と、表示部と、受信メールを受信し、かつ、前記受信メールに対する返信メールを送信する通信部と、前記筐体の状態を検出する検出部とを有する携帯通信機器の画像表示方法であって、
前記表示部に作成中の前記返信メールを第１の向きで表示させる表示ステップと、
前記表示ステップ中に、前記検出部により前記筐体の状態の変更を検出したかを検出する検出ステップと、
前記検出ステップで、前記筐体の状態が変更したら、前記返信メールに代えて、前記表示部に前記受信メールを前記第１の向きとは異なる第２の向きに表示させる表示切替ステップとを有することを特徴とする画像表示方法。
【発明の詳細な説明】
【技術分野】
【０００１】
本発明は、電子メールを送受信する携帯通信機器及びメールを表示する画像表示方法に関する。
【背景技術】
【０００２】
携帯電話機等の携帯通信機器には、通信によりメールを送受信するメール通信機能を備えているものがある。例えば、特許文献１には、予め定められた特定のキー操作、または、メール処理操作が行われた場合、当該操作の対象になった複数のメールのそれぞれを展開して表示部に表示する携帯電話が記載されている。また、特許文献１には、複数のメールを同時に表示部に表示させることで、例えば、送信するメールを作成しながら受信メールを見ることができると記載されている。
【先行技術文献】
【特許文献】
【０００３】
【特許文献１】特開２００７−２０８４４５号公報
【発明の概要】
【発明が解決しようとする課題】
【０００４】
特許文献１に記載されているように、受信メールと送信メールとを同時に表示させることで、受信メールを見ながら、送信メールを作成することができる。しかしながら、携帯通信機器は、表示部に限りがある。そのため、複数のメールを同時に表示させると、作成している送信メールの表示領域が小さくなり、メールを作成しにくくなってしまう。
【０００５】
本発明は、上記に鑑みてなされたものであって、受信メールを簡単に参照することができ、かつ、送信するメールをより適切に作成することができる携帯通信機器及び画像表示方法を提供することを目的とする。
【課題を解決するための手段】
【０００６】
上述した課題を解決し、目的を達成するために、本発明は、携帯通信機器であって、筐体と、表示部と、受信メールを受信し、かつ、前記受信メールに対する返信メールを送信する通信部と、前記筐体の状態を検出する検出部と、前記表示部に作成中の前記返信メールを第１の向きで表示させる第１表示中に、前記検出部が前記筐体の状態の変更を検出した場合、前記返信メールに代えて、前記表示部に前記受信メールを前記第１の向きとは異なる第２の向きに表示させる第２表示に切り替える制御部と、を備えることを特徴とする。
【０００７】
ここで、前記検出部は、前記筐体の姿勢が異なる第１状態及び第２状態を検出し、前記制御部は、前記第１状態にて前記第１表示が行われている際に、前記第２状態への移行が検出された場合には、前記第２表示に切り替え、前記第２表示中に、前記第２状態から前記第１状態への移行が検出された場合には、前記受信メールに代えて、作成中の前記返信メールを前記第１の向きで再度表示させることが好ましい。
【０００８】
また、前記表示部は、長方形であり、前記第１の向きは、前記表示部の長辺に平行な方向が上下方向となる向きであり、前記第２の向きは、前記表示部の短辺に平行な方向が上下方向となる向きであることが好ましい。
【０００９】
また、前記制御部は、前記第１表示から前記第２表示に切り替える際に、前記受信メールを一画面に表示できない場合、表示を切り替える前に前記第１表示で表示されている前記返信メールの表示状態に基づいて、前記受信メールを表示させる領域を選択し、前記第２表示として、選択した領域を前記表示部に表示することが好ましい。
【００１０】
また、前記制御部は、前記第１表示から前記第２表示に切り替える際に、前記第１表示で前記受信メールの引用部分が表示されている場合、前記第２表示として、前記引用部分に対応する部分を前記表示部に表示させることが好ましい。
【００１１】
また、前記制御部は、前記第１表示から前記第２表示に切り替える際に、表示を切り替える前に前記第１表示で表示されている前記返信メールの文章のうち入力中の文章に含まれる単語を検出し、前記受信メールの文章から前記単語を含む文章を抽出し、前記第２表示として、抽出した文章を前記表示部に表示することが好ましい。
【００１２】
また、前記制御部は、前記表示部に一画面で表示できない位置関係にある複数の文章を抽出したら、前記第２表示として、前記複数の文章を含む部分のみを抽出して、前記表示部に表示させることが好ましい。
【００１３】
また、前記検出部は、さらに、前記筐体の移動方向を検出し、前記制御部は、前記第２表示中に、前記検出部で前記筐体が振られていることを検出したら、前記筐体が振られる方向にあわせて、前記受信メールの表示部分を変化させることが好ましい。
【００１４】
また、前記制御部は、前記筐体が振られる方向にあわせて、ページ単位で受信メールをスクロールさせることが好ましい。
【００１５】
また、前記制御部は、前記第２表示中に、前記第２の向きに前記筐体が振られていることを検出したら、前記受信メールの表示部分を変化させ、前記第２表示中に、前記検出部で前記第２の向きに直交する方向に前記筐体が振られていることを検出したら、前記第２表示を、直前に表示されていた受信メールに関連付けられたメールに切り替えることが好ましい。
【００１６】
上述した課題を解決し、目的を達成するために、本発明は、筐体と、表示部と、受信メールを受信し、かつ、前記受信メールに対する返信メールを送信する通信部と、前記筐体の状態を検出する検出部とを有する携帯通信機器の画像表示方法であって、前記表示部に作成中の前記返信メールを第１の向きで表示させる表示ステップと、前記表示ステップ中に、前記検出部により前記筐体の状態の変更を検出したかを検出する検出ステップと、前記検出ステップで、前記筐体の状態が変更したら、前記返信メールに代えて、前記表示部に前記受信メールを前記第１の向きとは異なる第２の向きに表示させる表示切替ステップとを有することを特徴とする。
【発明の効果】
【００１７】
本発明にかかる携帯通信機器及び画像表示方法は、受信メールを簡単に参照することができ、かつ、送信するメールをより適切に作成することができるという効果を奏する。
【図面の簡単な説明】
【００１８】
【図１】携帯通信機器の一例である携帯通信機器の一実施形態の概略構成を示す正面図である。
【図２】携帯通信機器の一実施形態の機能の概略構成を示すブロック図である。
【図３】携帯通信機器の動作の一例を示すフロー図である。
【図４−１】受信メールの全文の一例を示す説明図である。
【図４−２】携帯通信機器に図４−１に示す受信メールを表示させている状態を示す説明図である。
【図５−１】送信メールの全文の一例を示す説明図である。
【図５−２】携帯通信機器に図５−１に示す送信メールを表示させている状態を示す説明図である。
【図５−３】携帯通信機器に受信メールを表示させている状態を示す説明図である。
【図６】携帯通信機器の動作の一例を示すフロー図である。
【図７−１】携帯通信機器に送信メールを表示させている状態を示す説明図である。
【図７−２】携帯通信機器に受信メールを表示させている状態を示す説明図である。
【図８−１】送信メールの全文の一例を示す説明図である。
【図８−２】携帯通信機器に図８−１に示す送信メールを表示させている状態を示す説明図である。
【図８−３】携帯通信機器に受信メールを表示させている状態を示す説明図である。
【図９】携帯通信機器の動作の一例を示すフロー図である。
【図１０−１】携帯通信機器に受信メールを表示させている状態を示す説明図である。
【図１０−２】携帯通信機器に受信メールを表示させている状態を示す説明図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯通信機器として携帯電話機を例として説明するが、本発明の適用対象は携帯電話機に限定されるものではなく、メールの送受信機能がある種々の携帯通信機器に用いることができ、例えば、ＰＨＳ（Personal Handyphone System）、ＰＤＡ、ゲーム機等に対しても本発明は適用できる。
【００２０】
図１は、携帯通信機器の一実施形態の概略構成を示す正面図である。携帯通信機器１は、無線通信機能を備えた携帯電話機である。携帯通信機器１は、筐体１Ｃが第１筐体１ＣＡと第２筐体１ＣＢとで開閉可能に構成された、折り畳み式の携帯電話機である。なお、図１は、携帯通信機器１を開いた状態である。
【００２１】
第１筐体１ＣＡには、表示部として、図１に示すメインディスプレイ２Ｍが設けられる。メインディスプレイ２Ｍは、所定の画像として、携帯通信機器１が受信を待機している状態のときに待ち受け画面を表示したり、携帯通信機器１の操作を補助するために用いられるメニュー画像を表示したりする。また、図１に示すように、第１筐体１ＣＡには、携帯通信機器１の通話時に音声を発するレシーバ６が設けられている。
【００２２】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための専用キー４が設けられる。なお、操作キー３及び専用キー４は、携帯通信機器１の操作部２８（図２参照）を構成する。また、第２筐体１ＣＢには、携帯通信機器１の通話時に音声を受け取るマイク５が設けられる。
【００２３】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、開いたり、閉じたりできるように構成される。
【００２４】
次に、携帯通信機器の機能の概略構成を説明する。図２は、携帯通信機器の一実施形態の機能の概略構成を示すブロック図である。図２に示すように携帯通信機器１は、制御部２２と、記憶部２４と、送受信部２６と、操作部２８と、音声処理部３０と、表示部３２と、姿勢検出センサ３４と、を有する。
【００２５】
制御部２２は、携帯通信機器１の全体的な動作を統括的に制御する処理部、例えばＣＰＵ（Central Processing Unit）である。すなわち、携帯通信機器１の各種の処理が、操作部２８の操作や携帯通信機器１の記憶部２４に保存されるソフトウェアに応じて適切な手順で実行されるように、送受信部２６、表示部３２等の動作を制御する。制御部２２は、記憶部２４に保存されているプログラム（例えば、オペレーティングシステムプログラム、アプリケーションプログラム等）に基づいて処理を実行する。また、制御部２２は、複数のプログラム（アプリケーション、ソフトウェア）を並列で実行することができる。
【００２６】
記憶部２４には、制御部２２での処理に利用されるアプリケーションのプログラムやデータが保存されている。具体的には、記憶部２４には、メールアプリケーション２４ａや、受信フォルダ２４ｂや、送信フォルダ２４ｃが記憶されている。なお、メールアプリケーション２４ａは、メールの送受信を行うアプリケーションのプログラムである。また、受信フォルダ２４ｂは、携帯通信機器１で受信した受信メールのデータを保存するフォルダ（記憶領域）であり、送信フォルダ２４ｃは、送信済みまたは未送信の送信メールのデータを保存するフォルダである。なお、受信フォルダ２４ｂ、送信フォルダ２４ｃには、メールの題名や、メールの内容のテキストデータとともに、送受信の日時や、送受信先の情報、添付のデータの情報、添付のデータのリンク情報等、メールに関連する種々の情報が保存されている。
【００２７】
また、記憶部２４には、上述したデータに加え、アプリケーションのプログラムとして、インターネット通信を行うアプリケーションのプログラムや、音声データの再生を行うアプリケーションのプログラム、発信、着信、通話処理を行うアプリケーションのプログラム、ワンセグ放送処理を行うアプリケーションのプログラム等が保存されている。また、データとしては、画像データ、音声データ、文字変換のための辞書データ、アドレス帳データ等も記憶されている。
【００２８】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００２９】
操作部２８は、例えば、電源キー、通話キー、数字キー、文字キー、方向キー、決定キー、発信キーなど、各種の機能が割り当てられた操作キー３と専用キー４とで構成され、これらのキーがユーザの操作により入力されると、その操作内容に対応する信号を発生させる。そして、発生した信号は、ユーザの指示として制御部２２へ入力される。
【００３０】
音声処理部３０は、マイク５に入力される音声信号やレシーバ６から出力される音声信号の処理を実行する。また、音声処理部３０は、マイク５から入力される音声を所定のデータに変換して制御部２２へ出力する。また、制御部２２から送られる音声データに対して所定の変換をしてレシーバ６へ出力する。
【００３１】
表示部３２は、液晶ディスプレイ（ＬＣＤ、Liquid  Crystal  Display）や、有機ＥＬ（Organic  Electro-Luminescence）パネルなどで構成されたメインディスプレイ２Ｍを備え、制御部２２から供給される映像データに応じた映像、画像データに応じた画像をメインディスプレイ２Ｍに表示させる。
【００３２】
姿勢検出センサ３４は、携帯通信機器１（筐体１Ｃ）の姿勢を検出する検出器である。姿勢検出センサ３４としては、姿勢を検出する種々の方法の検出器を用いることができ、例えば、３軸のジャイロと３軸の加速度センサとの組み合わせ等で姿勢を検出する検出器を用いることができる。姿勢検出センサ３４は、携帯通信機器１の姿勢を検出し、検出結果を制御部２２に送る。なお、姿勢検出センサ３４は、携帯通信機器１の姿勢の変化を検出したら、その変化情報を制御部２２に送るようにしても、一定間隔毎に姿勢を検出し、検出した姿勢の情報を制御部２２に送るようにしてもよい。また、姿勢検出センサ３４は、制御部２２から姿勢の情報の検出指示が送られたら、姿勢の情報を検出し、その検出結果を制御部２２に送るようにしてもよい。携帯通信機器１は、基本的に以上のような構成である。
【００３３】
次に、携帯通信機器１の動作について説明する。ここで、図３は、携帯通信機器の動作の一例を示すフロー図である。また、図４−１は、受信メールの全文の一例を示す説明図であり、図４−２は、携帯通信機器に図４−１に示す受信メールを表示させている状態を示す説明図である。また、図５−１は、送信メールの全文の一例を示す説明図であり、図５−２は、携帯通信機器に図５−１に示す送信メールを表示させている状態を示す説明図であり、図５−３は、携帯通信機器に受信メールを表示させている状態を示す説明図である。
【００３４】
ここで、携帯通信機器１の制御部２２は、受信メールを受信し、その受信メールに対する返信の送信メールの作成中に図３に示すフロー図の動作の処理を行う。なお、図３に示すフロー図に示す動作は、携帯通信機器１の制御部２２により、メールアプリケーション２４ａを処理することで実行される。また、本実施形態では、携帯通信機器１が受信するメールを受信メールとし、携帯通信機器１で作成され、携帯通信機器１から送信するメールを送信メールとする。
【００３５】
まず、携帯通信機器１は、他の通信機器からメールが送信されると、制御部２２が、メールアプリケーション２４ａを起動させ、送受信部２６を介して、メールを受信する。受信メールの受信後、ユーザが受信メールを表示させる操作を携帯通信機器１に入力したら、携帯通信機器１は、受信したメールを表示部３２に表示させる。なお、本実施形態では、図４−１に示すテキスト４２がメールの本文の全文であるメールを受信したものとする。なお、図４−１に示すテキスト４２は、全文の表示に必要な面積が、表示部３２のメインディスプレイ２Ｍの表示領域よりも大きくなる。そのため、制御部２２は、図４−１に示すテキスト４２のうち領域４４で囲われた部分のテキストのみをメインディスプレイ２Ｍに表示させる。これにより、制御部２２は、図４−２に示すように、メインディスプレイ２Ｍの領域５０に、テキスト４２のうち領域４４に対応する部分を表示させる。なお、制御部２２は、メインディスプレイ２Ｍの領域５０に受信メールを表示させる場合、受信メールの本文のテキストを表示させ、かつ、領域５２に、操作に対応する画像を表示させる。なお、制御部２２は、さらに、受信メールの送信者の情報や、題名を表示させるようにしてもよい。
【００３６】
携帯通信機器１は、受信メールを表示させている状態で、返信のメール（送信メール）を作成する指示が入力されると、送信メール（返信メール）を作成するモードを起動させ、メインディスプレイ２Ｍにメールの作成画面を表示させる。携帯通信機器１は、送信メールを作成するモードを起動させたら、図３に示すフロー図の処理を開始する。まず、携帯電子機器１の制御部２２は、ステップＳ１２として、姿勢変化があるか、つまり、姿勢が変化したかを判定する。なお、制御部２２は、姿勢検出センサ３４の検出結果に基づいて姿勢が変化したかを判定することができる。
【００３７】
制御部２２は、ステップＳ１２で姿勢変化なし（Ｎｏ）、つまり、姿勢が一定の状態に維持されていると判定したら、ステップＳ１２に進む。制御部２２は、これにより、姿勢の変化を検出するまで、ステップＳ１２の処理を繰り返す。なお、制御部２２は、姿勢が変化したか否かの基準は、種々の基準とすることができ、例えば、筐体１Ｃの向きの変化が一定角以上となったら姿勢が変化したと判定することができる。
【００３８】
制御部２２は、ステップＳ１２で姿勢変化あり（Ｙｅｓ）と判定したら、ステップＳ１４として、姿勢検出センサ３４で検出した筐体１Ｃの向きが第１の向きであるかを判定する。ここで、第１の向きとは、予め設定されている向きである。制御部２２は、ステップＳ１４で、第１の向きである（Ｙｅｓ）と判定したら、ステップＳ１６として、送信メール作成画面を表示させているかを判定する。
【００３９】
制御部２２は、ステップＳ１６で、送信メール作成画面を表示させている（Ｙｅｓ）と判定したら、送信メール作成画面を表示させたまま、本処理を終了する。また、制御部２２は、ステップＳ１６で送信メール作成画面を表示させていない（Ｎｏ）、つまり、受信メールを表示させていると判定したら、ステップＳ１８として、送信メール作成画面表示処理を行い、メインディスプレイ２Ｍに、送信メール作成画面を表示させて、つまり、受信メールに代えて送信メールを表示させて、処理を終了させる。つまり、制御部２２は、受信メールに代えて送信メールを表示させる表示の切り替え処理を行う。なお、送信メール作成画面の表示方法として、例えば、送信メールとして、図５−１に示すテキスト５０が作成され、領域５２が表示領域として設定されている場合、制御部２２は、図５−２に示すように、テキスト５０のうち領域５２に含まれる部分を、メインディスプレイ２Ｍの領域５４に表示させる。なお、制御部２２は、送信メールの全文を同時にメインディスプレイ２Ｍの領域５４に表示できる場合は、全文を表示させる。
【００４０】
また、制御部２２は、ステップＳ１４で第１の向きではない（Ｎｏ）と判定したら、ステップＳ２０として、筐体１Ｃが第２の向きであるかを判定する。なお、第２の向きも、予め設定されている向きである。制御部２２は、ステップＳ２０で第２の向きではない（Ｎｏ）と判定したら、そのまま、本処理を終了する。つまり、制御部２２は、第１の向き、第２の向きのいずれでもないと判定したら、表示画面を切り替えずに処理を終了する。
【００４１】
制御部２２は、ステップＳ２０で第２の向きである（Ｙｅｓ）と判定したら、ステップＳ２２として、受信メールを表示中であるかを判定する。制御部２２は、ステップＳ２２で受信メールの表示中である（Ｙｅｓ）と判定したら、受信メールを表示させたまま、本処理を終了する。
【００４２】
制御部２２は、ステップＳ２２で受信メールの表示中ではない（Ｎｏ）、つまり、送信メールを表示させていると判定したら、ステップＳ２４として、受信メール表示処理を行い、メインディスプレイ２Ｍに受信メールを表示させる。つまり、制御部２２は、送信メールに代えて受信メールを表示させる表示の切り替え処理を行う。具体的には、制御部２２は、受信メール表示処理として、図５−３に示すように、メインディスプレイ２Ｍの領域５４に、受信メールを表示させる。なお、この時、制御部２２は、領域５４に表示させるテキストを、送信メールを表示させている場合から９０度回転させた向きに表示させる。つまり、送信メールの表示画面の上下方向が、受信メールの表示画面の左右方向となる向きでテキストを表示させる。なお、図５−３は、上述した、図４−１に示す受信メールを表示する受信メール（参照メール）とした場合の例である。制御部２２は、ステップＳ２４の受信メール表示処理を行い、メインディスプレイ２Ｍに受信メールを表示させたら、本処理を終了する。なお、制御部２２は、受信メールに対応する送信メールの作成中は、図３に示す処理を繰り返し行う。
【００４３】
携帯通信機器１は、以上のように、筐体１Ｃの向きを検出し、第１の向きの場合、表示部３２に送信メール（返信メール）を表示させ（第１表示を行い）、第２の向きの場合、表示部３２に受信メール（返信メールの対象となる受信メール、参照メール）を表示させる（第２表示を行う）。これにより、ユーザは、送信メールの作成中に、携帯通信機器１の姿勢を変化させるのみで、つまり、操作部２８に操作を入力することなく、受信メールを表示させることができる。これにより、ユーザは、送信メールの作成中により簡単に、受信メールの内容を確認することができる。
【００４４】
また、携帯電子機器１は、表示させるメールを切り替えることで、各メールを表示している間の操作も簡単にすることができる。例えば、携帯通信機器１は、操作部のキーの数も限られているため、複数のメールを表示させている状態で、それぞれのメールの表示を操作可能にする場合は、限られた操作キーを二つの画面の操作に割り当てる必要があり、操作が複雑になり、覚える操作が多くなる。これに対して、携帯電子機器１は、それぞれのメール表示画面で操作ができるため、各動作に対応した操作キーを割り当てることができる。例えば、画面のスクロールに対しては、夫々の画面でともに方向キーを割り当てることができ、操作を簡単にすることができる。
【００４５】
また、携帯通信機器１は、図５−２、図５−３に示すように、メインディスプレイ２Ｍに、受信メールと送信メールとを切り替えて表示させることで、受信メール、送信メールのそれぞれをより大画面に表示させることができる。
【００４６】
ここで、第１の向き、第２の向きは、種々の設定とすることができる。例えば、筐体１Ｃの向きの所定の範囲を第１の向き、第２の向きとして設定してもよい。なお、携帯通信機器１は、メインディスプレイの長手方向が鉛直方向、または、メインディスプレイの短手方向が水平方向である場合を、第１の向き、メインディスプレイの長手方向が水平方向、または、メインディスプレイの短手方向が鉛直方向である場合を第２の向きとして設定することが好ましい。これにより、本実施形態のように、メインディスプレイが縦向きの場合に、送信メールの作成画面を表示させ、メインディスプレイが横向きの場合に、受信メールを表示させることができる。これにより、いずれのメールも、ユーザに読みやすい向きで表示させることができる。また、送信メールの作成時に操作部への入力がしやすくなる。
【００４７】
また、筐体１Ｃの向きの所定の範囲を第２の向きとして設定し、その他の全ての向きを第１の向きとして設定してもよい。第１の向き、第２の向きは、絶対値である必要はなく、相対値としてもよい。例えば、送信メールの作成開始時の向きを第１の向きとし、その向きから一定角度傾斜した向きを第２の向きとして設定してもよい。
【００４８】
なお、携帯通信機器１は、本実施形態のように、第１表示と、第２表示で、表示させる文字の方向を回転させることが好ましい。これにより、メインディスプレイ２Ｍにユーザが読みやすい向きで文字を表示させることができる。また、携帯通信機器１は、第１表示、第２表示で、文字を表示させる向きを予め設定した向きとしてもよいが、姿勢検出センサ３４の検出結果に基づいて、向きを決定してもよい。例えば、姿勢検出センサ３４でメインディスプレイ２Ｍの鉛直方向、水平方向を検出し、鉛直方向が文字の上下方向となる向きで表示させてもよい。
【００４９】
次に、上記実施形態では、ステップＳ２４の受信メール表示処理で、受信メールを文頭から表示させたが、本発明はこれに限定されない。以下、図６から図８−３を用いて、受信メール表示処理の一例について説明する。ここで、図６は、携帯通信機器の動作の一例を示すフロー図である。また、図７−１は、携帯通信機器に送信メールを表示させている状態を示す説明図であり、図７−２は、携帯通信機器に受信メールを表示させている状態を示す説明図である。また、図８−１は、送信メールの全文の一例を示す説明図であり、図８−２は、携帯通信機器に図８−１に示す送信メールを表示させている状態を示す説明図であり、図８−３は、携帯通信機器に受信メールを表示させている状態を示す説明図である。また、以下では、受信メールを参照メールともいう。
【００５０】
制御部２２は、参照メールの表示処理を開始すると、ステップＳ３０として、参照メールが一画面で表示しきれるかを判定する。つまり、参照メールの全文が、メインディスプレイ２Ｍに同時に表示できる大きさ（長さ）であるかを判定する。制御部２２は、ステップＳ３０で、参照メールを一画面に表示できる（Ｙｅｓ）と判定したら、ステップＳ４４に進む。
【００５１】
制御部２２は、ステップＳ３０で参照メールを一画面に表示できない（Ｎｏ）と判定したら、ステップＳ３２として、作成中のメール（送信メール）内の「＞」で始まる引用文を検索し、ステップＳ３４として参照メールと作成中のメール（送信メール）の両方で使用されている単語／文章を検索する。
【００５２】
制御部２２は、ステップＳ３４の処理が終了したら、ステップＳ３６として、作成中のメールのカーソル位置の近辺に引用文があるかを判定する。なお、本実施形態では、カーソル位置の近辺を、カーソル位置を中心として前後２文とする。
【００５３】
制御部２２は、ステップＳ３６で引用文あり（Ｙｅｓ）と判定したら、ステップＳ３８として、参照メールを該当箇所までスクロールして表示させる。つまり、ステップＳ３２で検出し、ステップＳ３６で特定した引用文を該当箇所とし、特定した該当箇所が表示部３２に表示される領域を抽出し、抽出した領域をメインディスプレイ２Ｍに表示させる。
【００５４】
例えば、図７−１に示すように、メインディスプレイ２Ｍの領域６２に送信メールの本文が表示されている。なお、図７−１に示す送信メールは、上述した図４−１の受信メールに対する返信のメールである。つまり、図４−１の受信メールが参照メールとなる。ここで、領域６２には、本文の「着て行きます」の「す」にカーソルがある状態である。この状態で、参照メールを表示させる場合、制御部２２は、カーソル位置の２文前にある「＞」を検出し、「風邪ひかないよう、暖かくしてでかけましょう。」という文を引用文として検出する。制御部２２は、引用文を検出したら、参照メール（受信メール）から引用文と同一または対応する文を検出し、検出した文を含む部分を、図７−２に示すように、領域６２に表示させる。制御部２２は、ステップＳ３８で参照メールを表示させたら、本処理を終了する。
【００５５】
次に、制御部２２は、ステップＳ３６で引用文なし（Ｎｏ）と判定したら、ステップＳ４０として、作成中のメールのカーソル位置の近辺に（両方で使用されている）単語／文章があるかを判定する。制御部２２は、ステップＳ４０で単語／文章あり（Ｙｅｓ）と判定したら、ステップＳ４２として、参照メールを該当箇所までスクロールして表示させる。つまり、参照メールのうち、ステップＳ３４で検出し、ステップＳ３８で特定した単語／文章を含む部分を該当箇所とし、特定した該当箇所が表示部３２に表示される領域を抽出し、抽出した領域をメインディスプレイ２Ｍに表示させる。
【００５６】
例えば、図８−１に示すように、送信メールのテキスト７０が作成されている。また、テキスト７０のうち、領域７２が表示対象の領域となっており、制御部２２は、図８−２に示すように、メインディスプレイ２Ｍの領域７４に送信メールの本文の一部が表示されている。なお、図８−１及び図８−２に示す送信メールも、上述した図４−１の受信メールに対する返信のメールである。つまり、図４−１の受信メールが参照メールとなる。ここで、領域７４には、本文の「着て行きます」の「す」にカーソルがある状態である。この状態で、参照メールを表示させる場合、制御部２２は、カーソル位置がある文章の中から「風邪」を検出する。つまり、「風邪」を送信メールと受信メールの両方に共通する単語として検出する。制御部２２は、「風邪」を検出したら、参照メール（受信メール）から「風邪」を含む文を検出し、検出した文を含む部分を、図８−３に示すように、領域７４に表示させる。制御部２２は、ステップＳ４２で参照メールを表示させたら、本処理を終了する。
【００５７】
また、制御部２２は、ステップＳ４０で単語／文章なし（Ｎｏ）と判定したら、または、ステップＳ３０でＹｅｓと判定したら、ステップＳ４４として、参照メールを先頭から表示させ、本処理を終了する。
【００５８】
携帯通信機器１は、図６に示すように、送信メールで作成している文章に対応する部分を検出し、参照メール（受信メール）のうち、その検出した部分に対応する部分を表示させることで、必要な部分を短時間で確認することができる。また、ユーザが、参照メールをスクロールさせる手間をより少なくすることができる。
【００５９】
なお、上記実施形態では、引用文と、共通する単語／文章の両方を検出したが、いずれか一方のみとしてもよい。また、上記実施形態では、「＞」に基づいて引用文を検出したが、これにも限定されず、文章全体を比較しても、引用文を示す他の記号に基づいて、引用文を特定してもよい。また、送信メールの作成開始時に、引用文を対応付けて記憶しておき、その記憶に基づいて引用文を特定してもよい。
【００６０】
また、携帯通信機器１は、受信メール（参照メール）の表示時に、筐体の振動（移動）を検出し、その振動方向に基づいて、表示させる受信メールを操作するようにしてもよい。なお、筐体の振動、移動は、姿勢検出センサ３４の検出結果から算出することができる。以下、図９、図１０−１及び図１０−２を用いて、詳細に説明する。ここで、図９は、携帯通信機器の動作の一例を示すフロー図である。また、図１０−１及び図１０−２は、携帯通信機器に受信メールを表示させている状態を示す説明図である。
【００６１】
制御部２２は、メインディスプレイ２Ｍに受信メールの表示（第２表示を実行）中に、ステップＳ５０で、振動を検出したら、ステップＳ５２として、画面縦方向の振れであるかを判定する。つまり、制御部２２は、筐体１Ｃが移動した方向がメインディスプレイ２Ｍに表示させている画面の縦方向であるかを判定する。制御部２２は、ステップＳ５２で縦方向の振れである（Ｙｅｓ）と判定したら、ステップＳ５４として、振れは、上方向（画面上方向の振れ）であるかを判定する。制御部２２は、ステップＳ５４で上方向の振れである（Ｙｅｓ）と判定したら、ステップＳ５６として、受信メールを上方向にスクロールする。また、制御部２２は、ステップＳ５４で上方向の振れではない（Ｎｏ）つまり、下方向（画面下方向）の振れであると判定したら、ステップＳ５８として、受信メールを下方向にスクロールする。例えば、図１０−１に示すように、メインディスプレイ２Ｍの領域８２に受信メールの上側の部分が表示している状態で、筐体が下側に振られると、制御部２２は、ステップＳ５８として、図１０−２に示すように、メインディスプレイ２Ｍの領域８２に受信メールの下側の部分が表示している状態に、画面の表示を移動させる。また、逆に、制御部２２は、メインディスプイ２Ｍに図１０−２の画面が表示している状態で、筐体が上方向に振られたら、メインディスプレイ２Ｍに表示させる画面を図１０−１の画面に切り替える。制御部２２は、ステップＳ５６またはステップＳ５８の処理が終了したら、本処理を終了する。
【００６２】
制御部２２は、ステップＳ５２で縦方向の揺れではない（Ｎｏ）と判定したら、ステップＳ６０として、画面横方向の振れであるかを判定する。つまり、制御部２２は、筐体１Ｃが移動した方向がメインディスプレイ２Ｍに表示させている画面の横方向であるかを判定する。制御部２２は、ステップＳ６０で横方向の振れである（Ｙｅｓ）と判定したら、ステップＳ６２として、振れは、右方向（画面右方向の振れ）であるかを判定する。制御部２２は、ステップＳ６０で右方向の振れである（Ｙｅｓ）と判定したら、ステップＳ６４として、１つ前の関連する受信メールを表示させる。また、制御部２２は、ステップＳ６２で右方向の振れではない（Ｎｏ）つまり、左方向（画面左方向）の振れであると判定したら、ステップＳ６６として、１つ後ろの関連する受信メールを表示させる。ここで、関連する受信メールとは、関連付けが記憶されている受信メールである。例えば、送信メール作成機能を利用して、同一の相手と複数回メールの送受信を行った場合に、受信フォルダ２４ｂに記憶される複数の受信メールである。この複数の受信メールを受信順に対応付けておくことで、関連する受信メールとすることができる。また、送信者が、受信メールの送信者と同一の受信メールを関連する受信メールとしてもよい。制御部２２は、ステップＳ６４またはステップＳ６６の処理が終了したら、本処理を終了する。また、制御部２２は、ステップＳ６０で横方向の振れではない（Ｎｏ）と判定した場合も、本処理を終了する。
【００６３】
このように、筐体の振動に基づいて、受信メールの表示位置をスクロール（移動）させることで、ユーザは、操作部に操作を入力しなくとも受信メールの表示領域を移動させることができる。これにより、送信メールの表示時から筐体を傾けているため、操作部への操作が入力しにくい場合でも、ユーザが簡単に画面をスクロールさせることができる。
【００６４】
また、筐体の振動に基づいて、表示させる受信メールを関連する他の受信メールに切り替え可能とすることで、過去のやり取りも簡単に把握することができ、より送信メールを作成しやすくすることができる。なお、上記実施形態では、受信メールのみに切り替えるようにしたが、受信メールの前に送信した、関連する送信メールを表示させるようにしてもよい。つまり、一連のやりとりで、送信したメールと受信したメールを交互に表示させるようにしてもよい。
【００６５】
なお、制御部２２は、ステップＳ５６、Ｓ５８でスクロールさせる領域がない場合、ステップＳ６４、Ｓ６６で関連する受信メールがない場合は、表示を切り替えなくてもよい。また、制御部２２は、筐体の振られる量と、画面のスクロール量との対応付けは種々の値とすることができる。例えば、筐体が一回振られたら、画面を１ページ分スクロールするようにしたり、筐体の振られる量に応じて、画面のスクロール量を切り替えたりしてもよい。
【００６６】
また、上記実施形態では、１つの受信メールでの表示領域の移動（切り替え）と、表示させる受信メールの切り替えの両方を行ったが、いずれか一方のみを行うようにしてもよい。なお、両方を行う場合は、本実施形態のように、画面のスクロール方向と、筐体の移動方向とを同じ方向とすることが好ましい。つまり、文章を横書きで記載している場合は、画面上下方向に振られたら画面をスクロールさせることが好ましい。これにより、ユーザは、直感的に操作を行うことができる。
【００６７】
なお、携帯通信機器は、上述した折りたたみ式の携帯通信機器に限定されず、上述したように、種々の形状の携帯通信機器に用いることができる。なお、いずれの形状の場合でも、ユーザが操作部に文字を入力しやすい向きを第１の向きとすることが好ましい。例えば、操作部の上下方向が鉛直方向となり、操作部の左右方向が水平方向となる筐体の向きを第１の向きとすることが好ましい。これにより、送信メールの作成時に操作部を操作しやすくすることができる。
【産業上の利用可能性】
【００６８】
以上のように、本発明にかかる携帯通信機器及び画像表示方法は、メールを表示するのに有用である。
【符号の説明】
【００６９】
１  携帯通信機器
３  操作キー
４  専用キー
５  マイク
６  レシーバ
２２  制御部
２４  記憶部
２４ａ  メールアプリケーション
２４ｂ  受信フォルダ
２４ｃ  送信フォルダ
２６  送受信部
２６ａ  アンテナ
２８  操作部
３０  音声処理部
３２  表示部
３４  姿勢検出センサ
【図１】
2011249991.tif 000003
【図２】
2011249991.tif 000004
【図３】
2011249991.tif 000005
【図４−１】
2011249991.tif 000006
【図４−２】
2011249991.tif 000007
【図５−１】
2011249991.tif 000008
【図５−２】
2011249991.tif 000009
【図５−３】
2011249991.tif 000010
【図６】
2011249991.tif 000011
【図７−１】
2011249991.tif 000012
【図７−２】
2011249991.tif 000013
【図８−１】
2011249991.tif 000014
【図８−２】
2011249991.tif 000015
【図８−３】
2011249991.tif 000016
【図９】
2011249991.tif 000017
【図１０−１】
2011249991.tif 000018
【図１０−２】
2011249991.tif 000019